(57)【要約】【課題】シールリップの追随性を高めつつ、振動を効果的に減衰可能な密封装置を提供する。【解決手段】２部材間の環状隙間を封止すると共に、これら２部材のうちの一方の部材表面に摺動自在なシールリップ１２０を備えた密封装置１００において、シールリップ１２０は、高減衰材からなるシールリップ本体部分１２１と、シールリップ本体部分１２１の先端側、かつ前記一方の部材表面に摺動自在に設けられ、シールリップ本体部分１２１を構成する材料よりも減衰作用が低い低減衰材からなるリップ先端部分１２２とが一体的に設けられていることを特徴とする。【選択図】図１
2014009769.tif 000002
【特許請求の範囲】
【請求項１】
２部材間の環状隙間を封止すると共に、これら２部材のうちの一方の部材表面に摺動自在なシールリップを備えた密封装置において、
前記シールリップは、
高減衰材からなるシールリップ本体部分と、
該シールリップ本体部分の先端側、かつ前記一方の部材表面に摺動自在に設けられ、該シールリップ本体部分を構成する材料よりも減衰作用が低い低減衰材からなるリップ先端部分とが一体的に設けられていることを特徴とする密封装置。
【請求項２】
２色成形によって、前記シールリップ本体部分とリップ先端部分とが一体的に設けられた前記シールリップが得られることを特徴とする請求項１に記載の密封装置。
【発明の詳細な説明】
【技術分野】
【０００１】
本発明は、シールリップを有する密封装置に関するものである。
【背景技術】
【０００２】
従来、２部材間の環状隙間を封止する密封装置が知られている。かかる密封装置は、各種装置に備えられており、例えば、自動車に備えられるステアリングダストシールやオイルシール等として用いられている。また、このような密封装置においては、２部材のうちの一方の部材表面に摺動するシールリップが設けられている。
【０００３】
このような従来例に係る密封装置について、図２を参照して説明する。図２は従来例に係る密封装置の装着状態を示す模式的断面図である。図示の密封装置５００は、軸２００と、軸２００が挿通される軸孔を有するハウジング３００との間の環状隙間を封止するために設けられる。この密封装置５００は、ハウジング３００の軸孔の内周面に嵌着される補強環５１０と、補強環５１０に一体的に成形されるシールリップ５２０とから構成される。そして、シールリップ５２０のリップ先端部分５２１の外周面には環状溝５２１ａが設けられており、この環状溝５２１ａに、リップ先端部分５２１の内周側先端を軸２００の表面に押し付けるための締め付けリング５３０が装着されている。
【０００４】
このように構成された密封装置においては、使用状況によっては、シールリップ５２０が自励振動し、「鳴き」と呼ばれる異音が発生する。特に、自動車においては、車内にいる人がより快適になるように、このような異音は極力発生しないことが求められる。そこで、シール材料として、「鳴き」が発生し難い高減衰材（例えば、フッ素ゴム）を用いることもあるが、「鳴き」に対しては有効であっても、その他に要求される特性を満足しない場合がある。例えば、高減衰材は追随性が悪いため、軸の偏心量が大きな場合には、シール性が低くなってしまう。従って、このような場合には、「鳴き」対策として、高減衰材を採用することは有効な手段ではない。
【先行技術文献】
【特許文献】
【０００５】
【特許文献１】特開２０１０−２０３５８４号公報
【発明の概要】
【発明が解決しようとする課題】
【０００６】
本発明の目的は、シールリップの追随性を高めつつ、振動を効果的に減衰可能な密封装置を提供することにある。
【課題を解決するための手段】
【０００７】
本発明は、上記課題を解決するために以下の手段を採用した。
【０００８】
すなわち、本発明の密封装置は、
２部材間の環状隙間を封止すると共に、これら２部材のうちの一方の部材表面に摺動自在なシールリップを備えた密封装置において、
前記シールリップは、
高減衰材からなるシールリップ本体部分と、
該シールリップ本体部分の先端側、かつ前記一方の部材表面に摺動自在に設けられ、該シールリップ本体部分を構成する材料よりも減衰作用が低い低減衰材からなるリップ先端部分とが一体的に設けられていることを特徴とする。
【０００９】
本発明によれば、リップ先端部分は低減衰材からなるため、リップ先端部分は追随性に優れており、２部材の偏心量が大きくても安定的にシール性を発揮させることができる。また、シールリップ本体部分は高減衰材からなるため、シールリップ部で発生した振動を効果的に減衰させることができる。これにより、「鳴き」の発生を抑制できる。
【００１０】
ここで、２色成形によって、前記シールリップ本体部分とリップ先端部分とが一体的に設けられた前記シールリップが得られるとよい。
【発明の効果】
【００１１】
以上説明したように、本発明によれば、シールリップの追随性を高めつつ、振動を効果的に減衰させることができる。
【図面の簡単な説明】
【００１２】
【図１】図１は本発明の実施例に係る密封装置の装着状態を示す模式的断面図である。
【図２】図２は従来例に係る密封装置の装着状態を示す模式的断面図である。
【図３】図３は荷重・変位線図である。
【発明を実施するための形態】
【００１３】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１４】
（実施例）
図１を参照して、本発明の実施例に係る密封装置について説明する。図１は本発明の実施例に係る密封装置の装着状態を示す模式的断面図である。
【００１５】
＜密封装置の構成＞
本実施例に係る密封装置１００は、回転する軸２００と、軸２００が挿通される軸孔を有するハウジング３００との間の環状隙間を封止するために設けられる。この密封装置１００は、ハウジング３００の軸孔の内周面に嵌着される補強環１１０と、補強環１１０に一体的に成形されるシールリップ１２０とから構成される。補強環１１０は断面が略Ｌ字形状であり、円筒部１１１と内向きフランジ部１１２とを備えている。そして、円筒部１１１が軸孔の内周面に嵌着され、内向きフランジ部１１２の内周端部付近にシールリップ１２０が焼き付けられている。なお、図１中、右側がオイルなどの密封対象流体が存在する領域である。
【００１６】
そして、シールリップ１２０は、それぞれ材質の異なるシールリップ本体部分１２１とリップ先端部分１２２とから構成されている。すなわち、シールリップ本体部分１２１の先端側にリップ先端部分１２２が一体的に設けられている。このリップ先端部分１２２が軸２００の表面に摺動する。また、リップ先端部分１２２の外周には環状溝１２２ａが設けられており、この環状溝１２２ａに、リップ先端部分１２２の内周側先端を軸２００の表面に押し付けるための締め付けリング１３０が装着されている。
【００１７】
ここで、シールリップ本体部分１２１は、振動を減衰させることが可能なゴム状弾性体製の高減衰材から構成されている。このシールリップ本体部分１２１の材料としては、振動を効果的に減衰させることのできる材料が望ましく、対数減衰率をδとした場合に、ｔａｎδが０．３以上の材料が好適である。
【００１８】
また、リップ先端部分１２２は、軸２００への追随性に優れたゴム状弾性体製の低減衰材から構成されている。このリップ先端部分１２２の材料としては、ハウジング３００に対して軸２００が偏心した場合でも、シール性を維持させるために、軸２００に対する追随性が優れた材料が望ましく、上記ｔａｎδが０．１以下の材料が好適である。
【００１９】
なお、図３は荷重・変位線図であり、図中、実線が高減衰材の場合を示し、点線が低減衰材の場合を示している。図示のように、減衰作用が低いほど、荷重・変位線は直線に近くなり、変位に対する反応が速く、追随性に優れることが分かる。一方、減衰作用が大きいほど、荷重・変位線は位相差が大きくなり、変位に対する反応が遅く、荷重が残ってしまい、追随性が悪くなる。
【００２０】
また、本実施例においては、２色成形によって、シールリップ本体部分１２１とリップ先端部分１２２とが一体的に設けられたシールリップ１２０を、補強環１１０に一体的に成形している。成形に際しては、シールリップ本体部分１２１を成形後にリップ先端部分１２２を成形することもできるし、両者を同時に成形することもできる。
【００２１】
ここで、２色成形により、シールリップ１２０を成形する場合、シールリップ本体部分１２１とリップ先端部分１２２が剥離してしまわないように、これらを構成する２つの材料の相溶性を高める必要がある。そこで、本実施例においては、シールリップ本体部分１２１を構成する材料とリップ先端部分１２２を構成する材料については、元のポリマー（例えば、アクリルゴム（ＡＣＭ）、フッ素ゴム（ＦＫＭ）及びニトリルゴム（ＮＢＲ））を同一材料としている。そして、ポリマーに加える充填剤の配合を変えることによって、高減衰材と低減衰材の減衰比を調整している。
【００２２】
＜本実施例に係る密封装置の優れた点＞
本実施例に係る密封装置１００によれば、リップ先端部分１２２は低減衰材からなるため、リップ先端部分１２２は追随性に優れており、軸２００とハウジング３００との偏心量が大きくても、シールリップ１２０が軸２００に対して追随し、安定的にシール性を発揮させることができる。また、シールリップ本体部分１２１は高減衰材からなるため、シールリップ１２０の部分において発生した振動を効果的に減衰させることができる。これにより、「鳴き」の発生を抑制できる。
【符号の説明】
【００２３】
１００  密封装置
１１０  補強環
１１１  円筒部
１１２  内向きフランジ部
１２０  シールリップ
１２１  シールリップ本体部分
１２２  リップ先端部分
１２２ａ  環状溝
１３０  締め付けリング
２００  軸
３００  ハウジング
【図１】
2014009769.tif 000003
【図２】
2014009769.tif 000004
【図３】
2014009769.tif 000005